(57)【特許請求の範囲】
【請求項１】
４足歩行運動に用いることが可能な膝の保護具であって、
長手方向と幅方向とを有し、面状の底面と主面とを有するアウトソール部と、
前記アウトソール部の前記長手方向の一方の縁部近傍から他方の縁部近傍に向けて設けられる第１のバンド紐と、
前記アウトソール部の前記長手方向の前記一方の縁部近傍から前記他方の縁部近傍に向けて前記第１のバンド紐とは離間して設けられる第２のバンド紐と、
前記アウトソール部の前記主面側において前記主面に対向して設けられ、前記第１のバンド紐と前記第２のバンド紐との離間状態を維持するパッド部と、
バンド部と
を備え、
前記バンド部が、前記アウトソール部の一方の長辺側から他方の長辺側に向けて設けられ、一方の端部が前記第１のバンド紐に対して回動可能に前記第１のバンド紐に接続され、他方の端部が前記第１のバンド紐に対して回動可能に前記第１のバンド紐に接続されることで、接続部分を中心に前記バンド部の位置が前記アウトソール部、若しくは前記第１のバンド紐に対して変位可能に設けられる保護具。
【請求項２】
前記アウトソール部の前記長手方向の縁部近傍から、前記主面の法線方向に沿った方向であって前記主面側に延びるサイドウォール部
を更に備え、
前記第１のバンド紐及び前記第２のバンド紐が、前記サイドウォール部の外側に設けられる請求項１に記載の保護具。
【請求項３】
前記アウトソール部が、前記底面に凹凸を有し、
前記サイドウォール部が、前記アウトソール部の一対の前記長手方向の縁部近傍に一対として設けられ、
前記バンド部が、一方の前記サイドウォール部から他方の前記サイドウォール部に向けて設けられる請求項２に記載の保護具。
【請求項４】
前記主面に接して設けられるインソール部
を更に備える請求項１〜３のいずれか１項に記載の保護具。
【請求項５】
前記パッド部が、前記主面に対向する第１パッド領域と前記主面から離れる方向に向けて傾斜する第２パッド領域とを含む請求項１〜４のいずれか１項に記載の保護具。
【請求項６】
４足歩行運動に用いることが可能な膝の保護具であって、
平面視にて略四角形状を有し、面状の底面を有するアウトソール部と、
前記アウトソール部の一方の長辺から他方の長辺に向けて設けられる第１のバンド紐と、
前記アウトソール部の一方の長辺から他方の長辺に向けて、前記第１のバンド紐とは離間して設けられる第２のバンド紐と、
前記一方の長辺から前記他方の長辺に向けて設けられるバンド部と、
前記アウトソール部に対向する第１パッド領域及び前記アウトソール部から離れる方向に傾斜する第２パッド領域を有し、前記第１のバンド紐と前記第２のバンド紐との離間した状態を維持するパッド部と
を備え、
前記バンド部が、一方の端部が前記第１のバンド紐に対して回動可能に前記第１のバンド紐に接続され、他方の端部が前記第１のバンド紐に対して回動可能に前記第１のバンド紐に接続されることで、接続部分を中心に前記バンド部の位置が前記アウトソール部、若しくは前記第１のバンド紐に対して変位可能に設けられ、
前記膝に装着された場合、前記バンド部が前記膝の上方の大腿部下方の前記大腿部の前側に接触し、前記第２パッド領域が前記大腿部の後ろ側に接触し、前記第１パッド領域が脚の後ろ側の下腿部上方部分に接触し、前記アウトソール部の前記底面の反対側表面が前記脚の下腿部上方に接触する保護具。
【請求項７】
前記アウトソール部の一対の長辺の縁部から前記底面の反対側表面の方向に向けて延びる一対のサイドウォール部
を更に備え、
前記一対のサイドウォール部が、前記脚の周囲において前記膝と前記膝裏との間の少なくとも一部の前記脚に接触する請求項６に記載の保護具。
【請求項８】
４足歩行運動に用いることが可能な膝の保護具であって、
長手方向と幅方向とを有し、面状の底面と主面とを有するアウトソール部と、
前記アウトソール部の前記長手方向の一方の縁部近傍から他方の縁部近傍に向けて設けられる第１のバンド紐と、
前記アウトソール部の前記長手方向の前記一方の縁部近傍から前記他方の縁部近傍に向けて前記第１のバンド紐とは離間して設けられる第２のバンド紐と、
前記アウトソール部の前記主面側において前記主面に対向して設けられ、前記第１のバンド紐と前記第２のバンド紐との離間状態を維持するパッド部と
を備え、
前記パッド部が、膝裏上方の大腿部裏側下方から膝裏を介し、膝裏下方の下腿部裏側上方若しくはふくらはぎ上方の一部までの間で膝裏に密着する保護具。
【請求項９】
４足歩行運動に用いることが可能な膝の保護具であって、
長手方向と幅方向とを有し、面状の底面と主面とを有するアウトソール部と、
前記アウトソール部の前記長手方向の一方の縁部近傍から他方の縁部近傍に向けて設けられる第１のバンド紐と、
前記アウトソール部の前記長手方向の前記一方の縁部近傍から前記他方の縁部近傍に向けて前記第１のバンド紐とは離間して設けられる第２のバンド紐と、
前記アウトソール部の前記主面側において前記主面に対向して設けられ、前記第１のバンド紐と前記第２のバンド紐との離間状態を維持するパッド部と、
バンド部と、
前記アウトソール部の前記長手方向の縁部近傍から、前記主面の法線方向に沿った方向であって前記主面側に延びるサイドウォール部と
を備え、
前記バンド部が、前記アウトソール部の一方の長辺側から他方の長辺側に向けて設けられ、一方の端部が前記サイドウォール部に対して回動可能に前記サイドウォール部に接続され、他方の端部が前記サイドウォール部に対して回動可能に前記サイドウォール部に接続されることで、接続部分を中心に前記バンド部の位置が前記アウトソール部、若しくは前記サイドウォール部に対して変位可能に設けられ、
前記パッド部が、膝裏上方の大腿部裏側下方から膝裏を介し、膝裏下方の下腿部裏側上方若しくはふくらはぎ上方の一部までの間で膝裏に密着する保護具。
【請求項１０】
前記パッド部が、前記主面に対向する第１パッド領域と前記主面から離れる方向に向けて傾斜する第２パッド領域とを含む請求項９に記載の保護具。
【請求項１１】
４足歩行運動に用いることが可能な膝の保護具であって、
平面視にて略四角形状を有し、面状の底面を有するアウトソール部と、
前記アウトソール部の一方の長辺から他方の長辺に向けて設けられる第１のバンド紐と、
前記アウトソール部の一方の長辺から他方の長辺に向けて、前記第１のバンド紐とは離間して設けられる第２のバンド紐と、
前記一方の長辺から前記他方の長辺に向けて設けられるバンド部と、
前記アウトソール部に対向する第１パッド領域及び前記アウトソール部から離れる方向に傾斜する第２パッド領域を有し、前記第１のバンド紐と前記第２のバンド紐との離間した状態を維持するパッド部と、
前記アウトソール部の前記長手方向の縁部近傍から、前記主面の法線方向に沿った方向であって前記主面側に延びるサイドウォール部と
を備え、
前記バンド部が、一方の端部が前記サイドウォール部に対して回動可能に前記サイドウォール部に接続され、他方の端部が前記サイドウォール部に対して回動可能に前記サイドウォール部に接続されることで、接続部分を中心に前記バンド部の位置が前記アウトソール部、若しくは前記サイドウォール部に対して変位可能に設けられ、
前記膝に装着された場合、前記バンド部が前記膝の上方の大腿部下方の前記大腿部の前側に接触し、前記第２パッド領域が前記大腿部の後ろ側に接触し、前記第１パッド領域が脚の後ろ側の下腿部上方部分に接触し、前記アウトソール部の前記底面の反対側表面が前記脚の下腿部上方に接触する保護具。
【発明の詳細な説明】
【技術分野】
【０００１】
本発明は、保護具に関する。特に、本発明は、４足歩行運動時に膝を保護可能な保護具に関する。
【背景技術】
【０００２】
人々の平均寿命が延びている一方で、平均寿命と健康寿命との差（日本においては平均寿命の方が健康寿命より約１０年ほど長い）により、高齢者が自立した生活を送ることができない期間も長くなっている。平均寿命と健康寿命との差が大きい場合、高齢者本人が満足した生活を送ることができない期間が長いだけでなく、身の回りの人々に精神的、身体的、更には経済的負担をかけかねない。そのため、ロコモティブシンドローム（運動機能障害）対策や、健康寿命を延ばすことにより高齢者が寝たきり等の要介護状態になることを抑制すること、そして要介護者の要介護状態を軽減し、高齢者や要介護者自身がなるべく多くの身の回りのことを自らなすことができるようにすることが好ましい。
【０００３】
リハビリテーション施設や介護施設等においては、高齢者や要介護者に対するリハビリテーションが実施されている。しかし、係る施設におけるリハビリテーションは専門家の指導の下で週に数回等、限定的に実施される場合がある。逆に、週のほとんどの時間は運動していないことが多いと考えることもできる。健康寿命を延ばすためには、日常的な運動をすることを要するものの、現状、様々な制約があることから、高齢者や要介護者は限定的な運動に甘んじざるを得ない。そうすると、日常的に運動しないので高齢者や要介護者の骨量と筋力は低下し、そのため、運動する気力がそがれて運動しなくなり、その結果として更に骨量と筋力が低下するという負のスパイラルが発生する。
【０００４】
しかしながら、特別なリハビリテーションに頼らずに運動を日常化すること、つまり、毎日こまめに実施することができれば、上記負のスパイラルを正のスパイラルに転換できる。具体的に、人間の体にとって自然な運動であり、ほとんどの人々にとって最も安全に実行しやすく、かつ、専門的知識を要しない運動であれば、高齢者や要介護者であっても一人で日常的に運動でき、健康寿命を延ばすことも期待できる。そのような運動として、ヒトの骨格・筋肉の形成の源流が４足歩行であることに鑑み、両手、及び脚（膝から下）を地面につけて歩行する４足歩行運動（いわゆる、ハイハイに基づく運動）が健康寿命を延ばすことができ、習慣化が容易な運動として期待されている。すなわち、４足歩行運動は自重がかかった四肢が連動する運動であり、運動の種類も豊富である。そのため、老若男女問わず運動できる。その結果、４足歩行運動であれば身体的にも精神的にも運動を容易に習慣化でき、健康の向上を期待できる。しかし、大人が４足歩行運動をした場合、手足を接触させる地面や床が運動による衝撃を吸収するような柔軟性を有さない場合、掌や膝に運動による衝撃が加わり、掌や膝を痛める場合がある。そして、４足歩行運動を考慮した場所でない限り、ほとんどの場所は４足歩行運動に適していないことが多く、係る場所での４足歩行運動は非現実的である。そこで、地面に接触させる部分を保護し、４足歩行運動を現実的にし、どこでも安全快適に実施できるようにすることが求められている。
【０００５】
従来、膝の所望位置に着脱自在に取り付け、膝の汚れを防止し、膝を保護する膝用サポーターであって、略四角柱の形状である弾性部材と、略帯形状である取付部材とを有し、弾性部材は、膝の座屈時に該膝を押し当てて、該膝を保持し、取付部材は、膝の下部に巻き付けて、弾性部材を所望位置に配置する膝用サポーターが知られている（例えば、特許文献１参照。）。特許文献１に記載の膝用サポーターによれば、膝の汚れを防止し、かつ、膝を付いた状態で膝を保護することができる。また、クッション性シート体の縁に、先部に面ファスナーを備えた伸縮性の紐を２対設け、クッション性シート体を膝に被せた状態で、１対の紐は膝の関節の上で脚の裏に回して先部の面ファスナー同士を係合させ、他の１対の紐は膝の関節の下で脚の裏に回して先部の面ファスナー同士を係合させることによって、クッション性シート体を膝に装着するように構成した膝当てが知られている（例えば、特許文献２参照。）。特許文献２に記載の膝当てによれば、花壇での作業や日曜大工の作業等において、低い姿勢で作業するために膝を地面や床に着けたとき、膝が痛んだり、ズボンが汚れたりすることを防止できる。
【先行技術文献】
【特許文献】
【０００６】
【特許文献１】実用新案登録第３２２１４５７号公報
【特許文献２】特開平１０−０４６４１１号公報
【発明の概要】
【発明が解決しようとする課題】
【０００７】
しかし、特許文献１に記載されている膝用サポーターにおいては、取付部材を膝の下部に巻き付けるだけであるので、膝用サポーターを床に接触させて膝を前後左右に動かした場合、弾性部材が膝から容易にずれてしまう。また、特許文献２に記載されている膝当てにおいては、１対の紐により膝当てを膝に装着するものの、膝当てを床に接触させて膝を前後に動かした場合、数回程度の動作で膝当てが膝からずれてしまうだけでなく、膝を左右に動かした場合も膝当てが脚を軸に回転して膝からずれてしまう。更に、そもそも特許文献１及び特許文献２等の従来の膝用サポーターや膝当て等の保護具においては、４足歩行運動（４足歩行エクササイズ）時に膝を保護することを想定しておらず、人の体重に応じた負荷が膝や保護具に加わることを想定していないことから、４足歩行運動時（つまり、４足歩行運動の継続時）に膝を適切に保護することができない。
【０００８】
したがって、本発明の目的は、膝を床等に接触させて実行する４足歩行運動時に膝に痛み等のダメージを与えず、かつ、膝からずれない（脱げない）保護具を提供することにある。
【課題を解決するための手段】
【０００９】
本発明は、上記目的を達成するため、４足歩行運動に用いることが可能な膝の保護具であって、長手方向と幅方向とを有し、面状の底面と主面とを有するアウトソール部と、アウトソール部の長手方向の一方の縁部近傍から他方の縁部近傍に向けて設けられる第１のバンド紐と、アウトソール部の長手方向の一方の縁部近傍から他方の縁部近傍に向けて第１のバンド紐とは離間して設けられる第２のバンド紐と、アウトソール部の主面側において主面に対向して設けられ、第１のバンド紐と第２のバンド紐との離間状態を維持するパッド部と、アウトソール部若しくは第１のバンド紐に対して変位可能に設けられるバンド部とを備える保護具が提供される。
【００１０】
また、本発明は、上記目的を達成するため、４足歩行運動に用いることが可能な膝の保護具であって、平面視にて略四角形状を有し、面状の底面を有するアウトソール部と、アウトソール部の一方の長辺から他方の長辺に向けて設けられる第１のバンド紐と、アウトソール部の一方の長辺から他方の長辺に向けて、第１のバンド紐とは離間して設けられる第２のバンド紐と、第１のバンド紐と少なくとも一部において交差し、一方の長辺から他方の長辺に向けて設けられるバンド部と、アウトソール部に対向する第１パッド領域及びアウトソール部から離れる方向に傾斜する第２パッド領域を有し、第１のバンド紐と第２のバンド紐との離間した状態を維持するパッド部とを備え、膝に装着された場合、バンド部が膝の上方の大腿部下方に接触し、第２パッド領域が大腿部の後ろ側に接触し、第１パッド領域が脚の後ろ側の下腿部上方部分に接触し、アウトソール部の底面の反対側表面が脚の下腿部上方に接触する保護具が提供される。
【００１１】
また、本発明は、上記目的を達成するため、４足歩行運動に用いることが可能な膝の保護具であって、面状の底面を有し、膝上方の大腿部下方部分から膝下方の下腿部上方部分までの間に配置され、長手方向及び幅方向を有するアウトソール部と、膝裏近傍から下腿部上方までの間において、アウトソール部の長手方向の一方の縁部側から他方の縁部側に向けて脚の裏側表面の少なくとも一部に沿って配置されるバンド紐と、アウトソール部の一方の縁部側の所定位置から膝側の脚の表面に沿って他方の縁部側の所定位置に接続され、アウトソール部に対して変位可能に接続されるバンド部とを備える保護具が提供される。
【００１２】
更に、本発明は、上記目的を達成するため、４足歩行運動に用いることが可能な膝の保護具であって、長手方向と幅方向とを有し、面状の底面と主面とを有するアウトソール部と、アウトソール部の長手方向の一方の縁部近傍から他方の縁部近傍に向けて設けられる第１のバンド紐と、アウトソール部の長手方向の一方の縁部近傍から他方の縁部近傍に向けて第１のバンド紐とは離間して設けられる第２のバンド紐と、アウトソール部の主面側において主面に対向して設けられ、第１のバンド紐と第２のバンド紐との離間状態を維持するパッド部とを備える保護具が提供される。
【発明の効果】
【００１３】
本発明に係る保護具によれば、膝を床等に接触させて実行する４足歩行運動時に膝に痛み等のダメージを与えず、かつ、膝からずれない（脱げない）保護具を提供できる。
【図面の簡単な説明】
【００１４】
【図１】本実施形態に係る保護具の使用状態の概要図である。
【図２】本実施形態に係る保護具の斜視図である。
【図３】本実施形態に係る保護具の六面図である。
【図４】本実施形態に係る保護具の所定の領域が装着者の膝及び脚に及ぼす影響の概要図である。
【図５】本実施形態に係る保護具の複数の作用点及び複数の作用点により形成される多角形の概要図である。
【図６】本実施形態に係る保護具の各構成要素に加わる力の概要図である。
【図７】本実施形態に係る保護具の変形例の概要図である。
【図８】本実施形態に係る保護具の変形例の概要図である。
【図９】本実施形態に係る保護具の変形例の概要図である。
【図１０】本実施形態に係る保護具の変形例の概要図である。
【図１１】本実施形態に係る保護具の変形例の概要図である。
【図１２】本実施形態に係る保護具の変形例の概要図である。
【図１３】手用保護具の概要図である。
【図１４】手用保護具の概要図である。
【発明を実施するための形態】
【００１５】
［実施の形態］
＜保護具１の概要＞
図１は、本発明の実施の形態に係る保護具の使用状態の概要の一例を示す。
【００１６】
本実施形態に係る保護具１は、人５が４足歩行運動する場合に膝に装着し、膝に対する痛み等のダメージを低減、防止する。具体的に、図１に示すように、両方の膝６それぞれに保護具１が装着される。また、両方の手７には手用保護具２が装着される。両手及び両膝に保護具を装着せずに４足歩行運動を実施すると、掌及び膝に圧力が加わって痛みを感じるだけでなく、地面や床等と掌及び膝とが接触し、掌及び膝に傷を負う場合がある。そのため、４足歩行運動の日常化の観点から、掌及び膝を保護する保護具を用いることが要求される。
【００１７】
特に４足歩行運動においては、前後に進む運動だけでなく、円や８の字を描くように４足歩行する運動（つまり、曲がって進む運動）もある。曲がって進む運動を実行する場合、保護具１には前後方向だけでなく左右方向にも力が加わる。また、この場合において保護具１には、脚を軸にして保護具１が回転する方向の力も加わる。そのため、保護具１に加わる前後左右（及び上下）の力に対して保護具１が膝６からずれないようにすることが要求される。本実施形態に係る保護具１は、後述するように、膝６に複数の方向から接触し、膝６に加わる力に対し、当該力とは反対方向の力を作用させる構造、及び当該力に追随する方向へ力を作用させる構造を有している（例えば、前方向の力に対しては前に追随する方向の力が作用し、後方向の力に対しては後ろに追随する方向の力が作用する構造を有する。また、右方向の力に対しては左方向の力が作用し、左方向の力に対しては右方向の力が作用する構造を有する。）。すなわち、保護具１は、膝に装着された場合、膝の位置からずれるような力が加わる領域に点、線、及び／又は面で接触する領域を設けることで、膝からのずれや脱げに対抗できる。これにより、本実施形態に係る保護具１は、４足歩行運動によって膝からずれることや脱げることがなく、装着者は安心して４足歩行運動を実行できる。なお、手用保護具２においても同様である。
【００１８】
本実施形態に係る保護具１及び／又は手用保護具２を用いることで、装着者は掌及び膝に痛みを感じることなく４足歩行運動を実施できる。そして、保護具１及び／又は手用保護具２は、床に接触させて前後方向や左右方向に力が加わっても膝や掌からずれることがないので、装着者は安心して４足歩行運動を実行できる。
【００１９】
なお、４足歩行運動は、畳２畳程度の場所があれば実施できるので、装着者は、時と場所とを選ばずに好きな時及び好きな場所で一人でも実施できる。そして、４足歩行運動は、実施することで全身がすぐに温まり、全身の筋肉（特に肩甲骨や股関節回りの筋肉）がほぐされ強化されるので、高齢者や要介護者等のリハビリテーションのみならず、様々なスポーツ選手の怪我の予防にまで応用することもできる。すなわち、４足歩行運動は人体の各部位を安全に鍛えることができるので、全ての人、幅広い身体状況の人々に効果的であり、リハビリテーションや日常的な運動、及びスポーツ選手の訓練等に用いることができる。更に４足歩行運動は、腰痛、肩こり、及び／又はダイエット等に効果があることが期待されるところ、本実施形態に係る保護具１及び／又は手用保護具２を用いることで、４足歩行運動を容易に日常化することができる。
【００２０】
また、４足歩行運動においては、脊椎に直接付着する筋肉（脊柱起立筋群、広背筋、及び腸腰筋）が同時に使用され、かつ、上半身と下半身とが連動して動く率（連動率）も高い（特に、２足歩行では連動が十分ではない広背筋（上半身）と大殿筋（下半身）との連動率が非常に高い。）。そのため、４足歩行運動により筋膜ラインが強化され、全身の筋力を強化することだけでなく、関節の可動域を拡げる効果や全身のゆがみを矯正できる効果、更には、全身の血管、リンパ管、神経、経絡等の隅々まで刺激する効果が期待できる。更には、装着者の脊髄反射も上半身と下半身との連動を鍛えることによって強化され、また、装着者は環境変化への柔軟で素早い反応（例えば、受け身等の躓きによる転倒への対応）ができるようになる。そして、日本においては「転倒」による死者数が約１万人にも達している。ここで、「転倒」により命を落とさなかったとしても、高齢者は骨折や骨折に基づく入院をきっかけとして寝たきり等の要介護者になる場合があり、「転倒」は高齢化社会の大きな課題である。これに対し、４足歩行運動は転倒予防対策として有効なエクササイズであり、これからの時代に非常に有用であると考えられる。なお、四肢を動かす運動としては、水泳、ダンス、ボルダリング等も挙げられるが、これらの運動は上半身と下半身との連動率が４足歩行運動より低い。この点からも４足歩行運動が有用であるといえる。
【００２１】
＜保護具１の詳細＞
図２は、本実施形態に係る保護具の斜視図の一例を示す。また、図３は、本実施形態に係る保護具の六面図の一例を示す。
【００２２】
本実施形態に係る保護具１は、４足歩行運動に用いることが可能な膝の保護具である。図２に示すように保護具１は、アウトソール部１０と、インソール部１１と、サイドウォール部１２と、第１のバンド紐１３と、第２のバンド紐１４と、パッド部１５と、バンド部１６とを備える。また、パッド部１５は、第１パッド領域１５０と第２パッド領域１５２とを有する。バンド部１６は第１のバンド紐１３に回動部１７により接続される。更に、第１のバンド紐１３は２つの部分バンド紐からなり、２つの部分バンド紐は互いに第１のバックル１３５で固定可能である。同様に第２のバンド紐１４も２つの部分バンド紐からなり、２つの部分バンド紐は互いに第２のバックル１４５で固定可能である。
【００２３】
（アウトソール部１０）
アウトソール部１０は、平面視にて長手方向（図３（ｅ）のＬ）と幅方向（図３（ｅ）のＷ）とを有し、底面１００と底面１００に対向する主面１０２とを有する。底面１００は、床や地面等との接触面積を確保する観点から面状である。そして、アウトソール部１０の形状は、保護具１を装着した装着者が前後左右に移動した場合に床や地面を捉えやすく、躓きにくい形状であれば特に限定はない。一例として、アウトソール部１０は、平面視にて略四角形状、略長方形状、若しくは略台形状等であってよい。また、底面１００は、保護具１の床や地面等に対する摩擦力、推進力、ブレーキ力等を発揮させる観点から、凸部１１０と凹部１１１とを含んで形成されることが好ましい。なお、底面１００は、凸部１１０と凹部１１１との代わりに、若しくは共に１以上の溝部を含んでいてもよい。
【００２４】
アウトソール部１０は、例えば、ポリ塩化ビニル系樹脂、エチレン酢酸ビニル共重合体系樹脂（ＥＶＡ樹脂）、熱可塑性ポリウレタン系樹脂等の合成樹脂から構成できる。なお、アウトソール部１０は、複数の層を有して構成されてもよい。また、アウトソール部１０の厚さは、膝に加わる圧力を軽減して膝を保護し、膝の外傷を防止することができる限り、特に限定はない。
【００２５】
アウトソール部１０は、装着者の膝上方の大腿部下方部分から膝下方の下腿部上方部分までの間に配置される。そして、アウトソール部１０は膝に加わる圧力を低減し、膝に対する外傷を防止すると共に、面状の底面１００が床や地面等に接触するので膝と床等との角度を一定に保つことができると共に保護具１の安定性を向上できる。
【００２６】
（インソール部１１）
インソール部１１は、平面視にて長手方向と幅方向とを有し、主面１０２に接して交換可能に設けられる。インソール部１１は、アウトソール部１０の形状に応じた形状を有し、例えば、略四角形状、略長方形状、若しくは略台形状等であってよい。また、インソール部１１は、力が加わった際に変形可能であってよい。
【００２７】
インソール部１１は、例えば、ポリエステル、ポリエチレン（ＰＥ）、ポリプロピレン（ＰＰ）、ポリウレタン（ＰＵ）、高耐久性ウレタン（粉砕ウレタン結合材）等の合成樹脂から構成できる。なお、インソール部１１は、複数の層を有して構成されてもよい。
【００２８】
インソール部１１は、装着者の膝に接し、膝に対する衝撃を吸収し、痛みを軽減する。また、インソール部１１は圧力が加わると変形し、装着者の膝及び下腿部上方に密着する。そして、インソール部１１は交換可能であるので、装着者の汗を吸収した場合に新たなインソール部１１に交換することができ、保護具１を清潔に保つことができる。
【００２９】
（サイドウォール部１２）
サイドウォール部１２は、アウトソール部１０の一対の長手方向の縁部付近それぞれから、アウトソール部１０の主面１０２の法線方向に沿った方向であって主面１０２側に延びて設けられる。アウトソール部１０が平面視にて略四角形状、略長方形状、若しくは略台形状の形状を有する場合、一対のサイドウォール部１２は、アウトソール部１０の一対の長辺の縁部近傍から底面１００の反対側表面（つまり、主面１０２）の方向に向けて延びて設けられる。ここで、サイドウォール部１２のアウトソール部１０の主面１０２に対する角度は、装着者の膝横部分（膝の両側面）を適切に押さえ、保護具１に水平方向に加わる力を受け止めて保護具１の安定性を向上させる観点から、７５°以上が好ましく、８０°以上がより好ましく、１０５°以下が好ましく、１００°以下がより好ましく、９０°であることが最も好ましい。
【００３０】
サイドウォール部１２は、アウトソール部１０と同様の材料から構成できる。
【００３１】
サイドウォール部１２は、装着者の脚の周囲において膝と膝裏との間の少なくとも一部及び／又は膝下の下腿部上方に接触することで保護具１を膝に固定する。これにより、サイドウォール部１２は、保護具１に加わる左右方向（水平方向）の力に抗って（つまり、加わる力と反対方向の力が作用して）、装着者の脚を中心に保護具１が回転してずれることを防止する。つまり、サイドウォール部１２は、装着者が４足歩行運動において横方向への移動をした場合等（例えば、円を描く回転運動や八の字運動をした場合等）、保護具１の横方向（アウトソール部１０の幅方向）に加わる力に対して保護具１が膝からずれることを防止する。
【００３２】
（第１のバンド紐１３）
第１のバンド紐１３は、サイドウォール部１２の外側において、アウトソール部１０の長手方向の一方の縁部近傍から他方の縁部近傍に向けて設けられる。アウトソール部１０が平面視にて略四角形状、略長方形状、若しくは略台形状の形状を有する場合、第１のバンド紐１３は、アウトソール部１０の一方の長辺から他方の長辺に向けて設けられる。すなわち、第１のバンド紐１３は、装着者の膝裏上方近傍から膝裏下方近傍までの間において、アウトソール部１０の長手方向の一方の縁部側から他方の縁部側に向けて装着者の脚の裏側表面の少なくとも一部に沿って配置され、保護具１を装着者の膝に固定する。例えば、第１のバンド紐１３は、アウトソール部１０前方若しくは前方端部近傍であって長手方向の一方の端部近傍に一方の端部が固定され、長手方向の他方の端部近傍に他方の端部が固定される。
【００３３】
また、第１のバンド紐１３は、アウトソール部１０の長手方向の一方の縁部近傍に固定される第１部分バンド紐１３０と、他方の縁部近傍に固定される第２部分バンド紐１３２とを含み、第１部分バンド紐１３０と第２部分バンド紐１３２とが第１のバンド紐１３の長さを調整可能な第１のバックル１３５で固定可能に設けられる。第１のバックル１３５により第１のバンド紐１３の長さを調整できるので、保護具１の装着時に毎回、適切な密着度合いで保護具１を装着できる。
【００３４】
第１のバンド紐１３は、ゴムバンドやテープバンドであってよく、例えば、ポリプロピレン等の合成樹脂から構成できる。
【００３５】
（第２のバンド紐１４）
第２のバンド紐１４は、サイドウォール部１２の外側において、アウトソール部１０の長手方向の一方の縁部近傍から他方の縁部近傍に向けて第１のバンド紐１３とは離間して設けられる。第１のバンド紐１３が設けられる位置を保護具１の前方とした場合、第２のバンド紐１４は、第１のバンド紐１３よりも保護具１の後方に離れて設けられる。アウトソール部１０が平面視にて略四角形状、略長方形状、若しくは略台形状の形状を有する場合、第２のバンド紐１４は、アウトソール部１０の一方の長辺から他方の長辺に向けて、第１のバンド紐１３から離間して設けられる。すなわち、第２のバンド紐１４は、第１のバンド紐１３より装着者の下腿部側において、アウトソール部１０の一方の縁部側から他方の縁部側にむけて装着者の脚の裏側表面の少なくとも一部に沿って配置されると共に第１のバンド紐１３と離間した状態を維持されて設けられる。そして、第２のバンド紐１４は、保護具１を装着者の膝に固定する。例えば、第２のバンド紐１４は、アウトソール部１０後方若しくは後ろ側端部近傍であって長手方向の一方の端部近傍に一方の端部が固定され、長手方向の他方の端部近傍に他方の端部が固定される。
【００３６】
また、第２のバンド紐１４は、アウトソール部１０の長手方向の一方の縁部近傍に固定される第３部分バンド紐１４０と、他方の縁部近傍に固定される第４部分バンド紐１４２とを含み、第３部分バンド紐１４０と第４部分バンド紐１４２とが第２のバンド紐１４の長さを調整可能な第２のバックル１４５で固定可能に設けられる。第２のバックル１４５により第２のバンド紐１４の長さを調整できるので、保護具１の装着時に毎回、適切な密着度合いで装着できる。
【００３７】
第２のバンド紐１４は、ゴムバンドやテープバンドであってよく、例えば、ポリプロピレン等の合成樹脂から構成できる。
【００３８】
（パッド部１５）
パッド部１５は、平面視にて長手方向と幅方向とを有し、アウトソール部１０の主面１０２側において主面１０２から離れた位置で主面１０２に対向して設けられる。パッド部１５の形状に限定はないが、例えば、平面視にて略四角形状若しくは略長方形状を有して構成できる。そして、パッド部１５は、第１のバンド紐１３と第２のバンド紐１４との離間状態を維持する。例えば、パッド部１５は、第１のバンド紐１３を通す第１の孔と第２のバンド紐１４を通す第２の孔とを有して構成でき、第１の孔と第２の孔とは所定距離だけ離間して設けられる。また、第１のバンド紐１３及び第２のバンド紐１４を互いに離れた状態にしてパッド部１５に縫い付けること等により固定してもよい。また、パッド部１５は、主面１０２に対向する第１パッド領域１５０と主面１０２から離れる方向（つまり、アウトソール部１０から離れる方向）に向けて傾斜する第２パッド領域１５２とを含む。第２パッド領域１５２は、第１パッド領域１５０に対する傾斜角度を変化可能に設けることができる。
【００３９】
パッド部１５は、例えば、ポリエステル、ポリエチレン（ＰＥ）、ポリプロピレン（ＰＰ）、ポリウレタン（ＰＵ）、高耐久性ウレタン（粉砕ウレタン結合材）等の合成樹脂から構成できる。
【００４０】
パッド部１５は、装着者の膝裏上方の大腿部裏側下方から膝裏を介し、膝裏下方の下腿部裏側上方若しくはふくらはぎ上方の一部までの間で膝裏や脚に密着し、保護具１を膝に固定する。すなわち、第１パッド領域１５０は、膝裏から膝裏下方の下腿部裏側上方若しくはふくらはぎ上方の一部までの間で脚に密着し、第２パッド領域１５２は、膝裏から膝裏上方の大腿部裏側下方までの間で脚に密着することで保護具１を膝に固定する。
【００４１】
（バンド部１６）
バンド部１６は、第１のバンド紐１３と少なくとも一部において交差し、アウトソール部１０の一方の長辺側から他方の長辺側に向けて設けられる。また、バンド部１６は、アウトソール部１０、サイドウォール部１２、若しくは第１のバンド紐１３に対して変位可能に設けられる。つまり、バンド部１６は、保護具１の平面視にて略Ｕ字形状を有し、バンド部１６とアウトソール部１０若しくは第１のバンド紐１３との接続部分を中心に変位可能に設けられる。なお、本実施形態及びその変形例において「変位」とは、例えば、バンド部１６の端部等が他の構成要素に接続された所定の個所を中心に回動可能であることや、第１のバンド紐１３及び／又はサイドウォール部１２の所定部分を基準位置とした場合に、バンド部１６の位置（例えば、少なくともバンド部１６の両端を除く領域）の当該基準位置に対する配置や距離等が変化することをいうものとする。具体的に、バンド部１６は、サイドウォール部１２若しくは第１のバンド紐１３に接続される。なお、４足歩行運動に応じてアウトソール部１０に対するバンド部１６の位置を可変にする観点から、バンド部１６はサイドウォール部１２に固定せず、第１のバンド紐１３に固定させることが好ましい。
【００４２】
例えば、バンド部１６の一方の端部は、保護具１の側面に位置する第１部分バンド紐１３０に接続される。この場合において、当該一方の端部は、第１のバンド紐１３に対して回動可能になるように回動部１７により第１部分バンド紐１３０に接続される。また、バンド部１６の他方の端部は、保護具１の側面に位置する第２部分バンド紐１３２に接続される。この場合において、当該他方の端部は、第１のバンド紐１３に対して回動可能になるように回動部１７により第２部分バンド紐１３２に接続される。ここで、回動部１７の高さ方向の位置（保護具１の側面視において底面１００を基準面とし主面１０２に向かう方向を高さ方向とした場合の位置）は、アウトソール部１０から所定距離だけ離れていることが好ましい。これにより、バンド部１６は、一方のサイドウォール部１２から他方のサイドウォール部１２に向けて設けられ、少なくとも一部が第１のバンド紐１３と交差して設けられる（つまり、バンド部１６の端部は第１のバンド紐１３に重なっており、この重なり部分においてバンド部１６と第１のバンド紐１３とは交差する。なお、バンド部１６の端部は、第１のバンド紐１３から第２のバンド紐１４側にはみ出していてもよい。）。
【００４３】
バンド部１６は、アウトソール部１０と同様の材料から構成できる。
【００４４】
バンド部１６は、アウトソール部１０の一方の縁部側の第１のバンド紐１３の所定位置から装着者の膝側の脚の表面（膝上の大腿部表面）に沿って他方の縁部側の第１のバンド紐１３の所定位置に接続され、第１のバンド紐１３に対して変位可能に接続されることにより、脚が上や上前方向に動くときに保護具１を脚と共に上や上前方向に追随させる作用（すなわち、膝と保護具が離れないようにする作用）を発生させる。つまり、バンド部１６は、装着者の膝の上に引っ掛かり、保護具１が脱げることを防止する。また、バンド部１６は第１のバンド紐１３に対して変位可能であるので、バンド部１６のアウトソール部１０に対する角度を独立して変更できる。これにより、装着者の膝のサイズにフィットさせ、よりタイトに（強く）保護具１を装着できる。
【００４５】
以下、保護具１の各構成要素が装着者の膝及び膝周辺に及ぼす機能の詳細を説明する。
【００４６】
＜保護具１が装着者の膝を複数の領域から押さえる旨の説明＞
図４は、本実施形態に係る保護具の所定の領域が装着者の膝及び脚に及ぼす影響の概要を示す。
【００４７】
まず、４足歩行運動に用いる保護具１に要求される機能としては以下の３点が挙げられる。
（１）装着者の前進時に保護具１が膝から抜けないようにする（つまり、保護具１が膝からずれ落ち、後ろに脱げないようにする）。
（２）装着者の後進時に保護具１が前方向に膝から抜けないようにする。
（３）保護具１に横方向（水平方向）の力が加わった際に装着者の脚を軸に保護具１が回転しないようにすることで保護具１が横に脱げないようにし（スライドする力に耐えるようにし）、水平方向の力に耐えるようにする。
【００４８】
保護具１においては、上記（１）については主としてバンド部１６が、上記（２）については主としてパッド部１５が、上記（３）については主としてサイドウォール部１２が機能を発揮する。すなわち、装着者が保護具１を膝に装着した場合、保護具１の各構成要素により形成される複数の領域が装着者の膝回りを中心とする脚に接触することで、装着者が４足歩行で前後進や横方向に移動したとしても保護具１が膝からずれることや脱げること、膝周りで回転することを防止する。
【００４９】
具体的に図４に示すように、保護具１が装着者の膝に装着された場合、バンド部１６が膝の上方の大腿部５０下方に接触し、第２パッド領域１５２が大腿部５０の後ろ側（背面側）に接触し、第１パッド領域１５０が脚の後ろ側の下腿部５２上方部分（ふくらはぎ上方部分）に接触し、アウトソール部１０の底面１００の反対側表面（つまり、主面１０２）側が膝及び脚の下腿部５２上方部分に接触する。これにより、バンド部１６が大腿部５０に接触する領域３０、第２パッド領域１５２が大腿部５０の後ろ側に接触する領域３２、アウトソール部１０の主面１０２若しくはインソール部１１が膝及び／又は下腿部５２の上方に接触する領域３４、及び第１パッド領域１５０が下腿部５２の裏側上方に接触する領域３６の少なくとも４つの領域が生じる。更に、保護具１においては、一対のサイドウォール部１２が装着者の膝両側面に接触する（図３においては図示しない。）。これら６つの領域が装着者の膝を含む脚の所定の部分に一体的に面で接触して押さえることで保護具１が装着者の膝に固定され、４足歩行時に保護具１が膝からずれることや脱げることを防止できる。また、少なくとも領域３０及び領域３２は他の領域に対する角度（若しくは、他の領域からの距離）が変化可能に設けられているので、保護具１を膝により密着しやすくできる。
【００５０】
例えば、保護具１に前方向の力が加わった場合は、バンド部１６が、加わった力と同一方向に保護具１を追随させる。また、保護具１に後方向の力が加わった場合は、パッド部１５が、加わった力と同一方向に保護具１を追随させる。これにより、保護具１は、膝を中心に所定の位置を維持できるので、保護具１が膝から抜けることを防止できる。具体的に、バンド部１６は、膝上の大腿部５０の下方の領域３０に接触する。そして、保護具１に前方への力が加わった場合（つまり、装着者が前進するときに脚を前方に持ち上げた場合）、バンド部１６に前方への力が伝わり、バンド部１６が当該力と同一の方向、つまり、前方への力を保護具１に伝え、保護具１を前方に追随させる。これにより、保護具１と地面との摩擦によって生じる力（すなわち、保護具１がその場に留まろうとする力）に負けず、スムーズに同一方向に保護具１及び脚が移動するので、保護具１が膝から後方や下方へ抜けることを防止する。また、パッド部１５が膝裏部分上方から膝下の下腿部５２上方に接触する。そして、保護具１に後方への力が加わった場合（つまり、装着者が後進する時に脚を後方に持ち上げた場合）、保護具１のパッド部１５（特に、第２パッド領域１５２）に後方への力が伝わり、パッド部１５が当該力と同一の方向、つまり、後方への力を保護具１に伝え、保護具１を後方に追随させる。これにより、保護具１と地面との摩擦によって生じる力（すなわち、保護具１がその場に留まろうとする力）に負けずスムーズに同一方向に保護具１及び脚が移動するので、保護具１が膝から前方に抜けることを防止できる。すなわち、バンド部１６とパッド部１５とにより、保護具１に加わる前後方向の力による保護具１のずれを防止することができる。
【００５１】
また、第１のバンド紐１３とバンド部１６とは、保護具１の側面視にてＶ字部分を構成する。図４に一点鎖線で示すように、保護具１の側面視において、バンド部１６と第１部分バンド紐１３０とでＶ字が構成される（図４の「Ｖ」）。これにより、複数方向から加わる力に対して対抗し、保護具１を膝に固定できる。すなわち、係るＶ字を構成することで、屈曲した膝関節の前部分の上下の２つの領域（領域３０、及び膝とアウトソール部１０の主面１０２とが接触する領域）と膝裏近傍部分（一対の回動部１７の間の第１のバンド紐１３の領域）との合計３つの領域を固定できるため、膝の屈曲によるずれを防止できる。
【００５２】
また、バンド部１６がサイドウォール部１２に固定されず、第１のバンド紐１３に固定されている場合（すなわち、バンド部１６と第１のバンド紐１３とのサイドウォール部１２に対する位置関係が固定ではなく、変位可能な場合）、バンド部１６は４足歩行運動に応じてアウトソール部１０に対する位置を所定の範囲内で変化可能であることから、バンド部１６が領域３０からずれることを防止できる。すなわち、バンド部１６が４足歩行中に下方に落ちることや外れることを防止できる。これにより、保護具１は膝からより脱げにくくなる。更に、パッド部１５、第１のバンド紐１３、第２のバンド紐１４、及びアウトソール部１０により略四角柱形状が形成されるので、保護具１が前後に回転運動することを防止できる。
【００５３】
更に、バンド部１６は、回動部１７により第１のバンド紐１３に対して角度を変化させることができる。これにより、装着者の膝のサイズに応じ、保護具１が膝からずれにくく脱げにくい位置にバンド部１６の位置を調整できる。そして、回動部１７によりバンド部１６の角度を変化させることができることから、装着者が四つ這い状態から立ち上がったときにバンド部１６がその立ち上がりに応じてその角度を変化させ、立ち上がり時にバンド部１６が邪魔になることを防止できる。
【００５４】
（第１のバンド紐１３及び第２のバンド紐１４によるずれ防止機能について）
第１のバンド紐１３と第２のバンド紐１４とはパッド部１５により互いに所定距離だけ離間して設けられる。これにより装着者が保護具１を装着した場合、側面視において第１のバンド紐１３と膝裏部分との第１の接触部、及び第２のバンド紐１４と下腿部裏側（ふくらはぎ上部部分）との第２の接触部の２つの接触部を設けることができるので、保護具１のずれを十分に防止できる。すなわち、仮に保護具を脚に固定するバンド紐が１本の場合、保護具に前後方向の力が加わると、当該バンド紐と当該バンド紐が接触する接触部（例えば、膝裏）を中心としてバンド紐が回転することで、保護具全体も膝裏を中心に前後に回転運動を起こし、保護具が膝からずれて外れる場合がある。一方、保護具１においては、第１の接触部及び第２の接触部が存在しているので、バンド紐が１本の場合とは異なり、上記のような回転運動の中心軸となり得る箇所が１か所にならないことで保護具１が前後方向に回転し、ずれて外れることを防止できる。これにより、保護具１を床等に接触させて引きずったとしても、保護具１が膝からずれることや脱げることを防止できる。
【００５５】
＜保護具１に加わる力が分散される旨の説明＞
図５は、本実施形態に係る保護具の複数の作用点及び複数の作用点により形成される多角形の概要の一例を示す。また、図６は、本実施形態に係る保護具の各構成要素に加わる力の概要の一例を示す。
【００５６】
保護具１の一の構成要素と他の構成要素との接続部分、並びに一の構成要素及び／又は他の構成要素が膝や脚に接触する部分がそれぞれ作用点となる。例えば、図５に示すように第１のバンド紐１３がアウトソール部１０に固定されている部分４００、バンド部１６と装着者の脚（膝上の大腿部前部の部分）とが接触する部分４０２、第１のバンド紐１３とバンド部１６とを接続する回動部１７の部分４０４、パッド部１５に第１のバンド紐１３が接続されている部分４０６、パッド部１５に第２のバンド紐１４が接続されている部分４０８、及び第２のバンド紐１４がアウトソール部１０に固定されている部分４１０が作用点となる。
【００５７】
そして、保護具１においては、複数の作用点が保護具１の全体に分散しており、保護具１の側面視において複数の作用点を結んだ多角形が形成される（図５の点線部分）。保護具１においては複数の作用点が適度に分散した多角形（作用点を結んだ多角形）が形成されるので、保護具１に加わる力を様々な方向に分散できる。これにより、保護具１に所定の方向から力が加わったとしても、当該力は保護具１の複数の作用点により複数の方向に分散されるので、保護具１が膝からずれることや脱げることを防止できる。そして、保護具１においては各構成要素によって多角形の形状が維持されるので（つまり、各構成要素の保護具１内における相対的な位置関係が維持されるので）、多角形の形状が変形しても元の形状への復元力が働くことで膝からの保護具１のずれを抑制できる。
【００５８】
すなわち、図６に示すように、バンド部１６に加わる力は方向６０及び方向６０の反対側方向の方向６０ａに分散し、第２パッド領域１５２に加わる力は方向６０ｂ及び方向６０ｂの略反対側方向の方向６０ｃに分散する。また、サイドウォール部１２に加わる力は方向６０ｄ等の方向に分散し、第１のバンド紐１３に加わる力は方向６０ｅや方向６０ｆ及びこれらの方向の反対方向の方向６０ｇの方向に分散する。更に、回動部１７に加わる力は方向６０ｍに分散する。そして、アウトソール部１０に加わる力は、方向６０ｈや方向６０ｈの反対側方向の方向６０ｉの方向に分散し、第１パッド領域１５０に加わる力は方向６０ｊ等の方向に分散する。更に、第２のバンド紐１４に加わる力は、方向６０ｋや方向６０ｌ等の方向に分散する。このように、保護具１に加わる力は、保護具１を構成する複数の構成要素のそれぞれの配置に応じ、様々な方向に分散される。これにより、保護具１に様々な方向から力が加わったとしても、一部分（一方向）に力が偏ってかかることがないので、保護具１が膝からずれることや脱げることを防止できる。
【００５９】
［実施の形態の効果］
本実施形態に係る保護具１は、床等の平面に対する接触面積が大きい平面状のアウトソール部１０を備え、膝を中心とする脚に各構成要素（つまり、アウトソール部１０、第１のバンド紐１３、第２のバンド紐１４、パッド部１５、バンド部１６等）が複数の方向から接触し、各構成要素により保護具１に加わる力を多数の方向に分散させる。したがって、保護具１は、従来のサポーターや保護具に比べ、密着性が高く膝からずれにくく、膝を平面に付けたときの安定性を高くできる。換言すれば、保護具１は、膝を包み込むように、かつ、膝に多方向から接触することで、膝に対する密着性を向上させることができる。これにより、保護具１によれば、４足歩行運動時に前後左右に移動しやすく、膝に加わる力を低減させて膝等がけがを負うことを防止でき、膝部分の捻挫等を防止できる。
【００６０】
特に、従来の膝プロテクター等の保護具では、４足歩行運動時に膝関節の屈曲動作が繰り返された場合、保護具と地面との接触（特に、保護具を引きずる動き、保護具を地面にこする動き、及び／又は保護具と地面との間で摩擦が関連する動き）が繰り返されることにより保護具が様々な方向にズレやすかった。これは、従来の保護具においては膝をついて運動することを想定していないことに起因する。この点、従来の保護具においては本実施形態に係る保護具１のアウトソール部１０に対応する部分に地面に対応した面状の領域を有していないことからも明らかである（従来の保護具では、多くの場合、膝表面に合わせた球面若しくは曲面を有する。そのため、接地する部分が「点」や「線」になることから脱げやすい。また、設置する部分が「点」や「線」であることから、重い体重を「引きずる」ことにより保護具が脱げてしまう。）。一方、本実施形態に係る保護具１は、４足歩行運動時に膝関節の屈曲動作が繰り返され、装着者の体重をのせて引きずる動作がなされたとしても、膝からずれたり脱げたりすることを防止できる。
【００６１】
また、保護具１においては、アウトソール部１０とインソール部１１との多層構造を構成できるので、床等の地面（真下）からの衝撃を吸収、分散することができる。これにより、保護具１においては膝の痛みを軽減できる。更に保護具１においては、面状の底面１００を有するアウトソール部１０と主面１０２に対向するパッド部１５とによって膝の床に対する角度を固定できるので、膝部分を捻じる可能性を低下できる。また、保護具１においては、靴を脱ぐことなく、第１のバンド紐１３及び第２のバンド紐１４を膝周辺に巻き、各バンド紐の長さを調節して第１のバックル１３５及び第２のバックル１４５で固定するだけで膝に簡単に装着できる。
【００６２】
なお、保護具１は、４足歩行運動以外にも膝への衝撃予防やけが予防に用いることができる。例えば、保護具１を、体操、ダンス、アウトドアスポーツ、スケートボード、サバイバルゲーム等や、中腰作業が要求される掃除等の家事、ガーデニング、キャンプ、筋力トレーニング、建設・建築作業等、更には、自衛隊等による災害救助活動等の特殊活動やその訓練等に用いてもよい。
【００６３】
［実施の形態の変形例１］
図７は、本実施形態に係る保護具の変形例の概要を示す。具体的に図７（ａ）は、変形例１に係る保護具１ａの側面上方から参照した場合の概要の一例を示し、図７（ｂ）は、変形例１に係る保護具１ａの側面後方の上方から参照した場合の概要の一例を示す。保護具１ａは、第１のバンド紐１３、第２のバンド紐１４、及びパッド部１５の代わりにこれらの機能を併せて有する太バンド紐２０を備える点を除き、保護具１と略同様の構成及び機能を備えるので、相違点を除き詳細な説明は省略する。
【００６４】
変形例１に係る保護具１ａは、アウトソール部１０と、インソール部１１と、サイドウォール部１２と、バンド部１６と、バンド部１６を変位可能にサイドウォール部１２に接続する回動部１７と、装着者の膝裏近傍から下腿部上方までの間において、アウトソール部１０の長手方向の一方の縁部側から他方の縁部側に向けて脚の裏側表面の少なくとも一部に沿って配置されるバンド紐としての所定の幅を有して構成される太バンド紐２０を備える。太バンド紐２０は、保護具１の第１のバンド紐１３及び第２のバンド紐１４より広い幅を有する。なお、バンド部１６は、アウトソール部１０の一方の縁部側の所定位置から膝側の脚の表面に沿って他方の縁部側の所定位置に接続され、アウトソール部１０に対して変位可能に設けられる。具体的に保護具１ａにおいてバンド部１６は、アウトソール部１０の一方の縁部側のサイドウォール部１２の所定位置に回動部１７により接続され、当該所定位置から膝側の脚の表面に沿って他方の縁部側のサイドウォール部１２の所定位置に回動部１７により接続される。
【００６５】
太バンド紐２０は、保護具１における第１のバンド紐１３、第２のバンド紐１４、及びパッド部１５の機能を併せて有する。すなわち、保護具１ａの先端側を前方、後端側を後方とした場合（図７（ａ）の左側が前方である）、太バンド紐２０の前方側端部付近の領域（第１端部領域）が第１のバンド紐１３としての機能を有し、後方側端部付近の領域（第２端部領域）が第２のバンド紐１４としての機能を有する。そして、太バンド紐２０は所定の幅を有して構成されているので、第１端部領域と第２端部領域との間がパッド部１５としての機能を発揮する。
【００６６】
［実施の形態の変形例２及び変形例３］
図８は、本実施形態に係る保護具の変形例の概要を示す。具体的に図８（ａ）は、変形例２に係る保護具１ｂの斜視図の概要の一例を示し、図８（ｂ）は、変形例３に係る保護具１ｃの斜視図の概要の一例を示す。保護具１ｂ及び保護具１ｃは、第１のバンド紐１３、第２のバンド紐１４、及びパッド部１５の代わりにこれらの機能を併せて有するカバー部２２若しくはカバー部２２ａを備える点を除き、保護具１と略同様の構成及び機能を備えるので、相違点を除き詳細な説明は省略する。
【００６７】
図８（ａ）に示すように、変形例２に係る保護具１ｂは、アウトソール部１０と、インソール部１１と、サイドウォール部１２と、バンド部１６と、バンド部１６を変位可能にカバー部２２に接続する回動部１７と、装着者の膝裏近傍から下腿部上方までの間において、アウトソール部１０の長手方向の一方の縁部側から他方の縁部側に向けて脚の裏側表面の少なくとも一部に沿って配置されるバンド紐としての所定の幅を有して構成されるカバー部２２を備える。
【００６８】
ここで、底面１００から主面１０２に向かう方向を上方向とすると、カバー部２２は、アウトソール部１０の長手方向の一方の縁部から上方向に向かうにつれて幅が徐々に狭まる形状であって、保護具１の上面において平面状の天井部２２０を有し、天井部２２０からアウトソール部１０の長手方向の他方の縁部に向かうにつれて幅が徐々に広まる形状を有して構成される。なお、バンド部１６は、アウトソール部１０の一方の縁部側の所定位置から膝側の脚の表面に沿って他方の縁部側の所定位置に接続され、アウトソール部１０に対して変位可能に設けられる。そして、保護具１ｂにおいてバンド部１６は、アウトソール部１０の一方の縁部側のサイドウォール部１２の所定位置に回動部１７によりカバー部２２の前方の縁（アウトソール部１０の一方の縁側）と共に接続され、当該所定位置から膝側の脚の表面に沿って他方の縁部側のサイドウォール部１２の所定位置に回動部１７によりカバー部２２の前方の縁（アウトソール部１０の他方の縁側）と共に接続される。
【００６９】
カバー部２２は、保護具１における第１のバンド紐１３、第２のバンド紐１４、及びパッド部１５の機能を併せて有する。すなわち、カバー部２２の天井部２２０の前方側端部付近の領域（第１端部領域）が第１のバンド紐１３としての機能を有し、後方側端部付近の領域（第２端部領域）が第２のバンド紐１４としての機能を有する。そして、天井部２２０は所定の幅を有して構成されているので、第１端部領域と第２端部領域との間がパッド部１５としての機能を発揮する。
【００７０】
一方、図８（ｂ）に示すように変形例３に係る保護具１ｃは、保護具１ｂとはカバー部２２ａの形状が異なる点を除き、保護具１ｂと略同一の構成及び機能を有する。保護具１ｃのカバー部２２ａは、アウトソール部１０側の端部に開口部２００を有して構成される。これにより、保護具１ｃにおいては、カバー部２２ａが側面視にて前後２か所でアウトソール部１０に接続されるので、この２か所の存在により、保護具１における第１のバンド紐１３の機能と第２のバンド紐１４の機能とをカバー部２２ａが発揮し、保護具１ｃが回転してずれたり脱げたりすることを防止できる。また、開口部２００により、保護具１ｃにおいては通気性を向上させることができる。なお、カバー部２２ａは、開口部２００の代わりに複数の穴を有していてもよい。
【００７１】
［実施の形態の変形例４］
図９は、本実施形態に係る保護具の変形例の概要を示す。変形例４に係る保護具１ｄは、パッド部１５を省略した点を除き、保護具１と略同様の構成及び機能を備えるので、相違点を除き詳細な説明は省略する。
【００７２】
図９に示すように、変形例４に係る保護具１ｄは、アウトソール部１０と、インソール部１１と、サイドウォール部１２と、第１のバンド紐１３と、第２のバンド紐１４と、バンド部１６とを備える。また、保護具１ｄは、バンド部１６を変位可能に第１のバンド紐１３に接続する回動部１７を備える。保護具１ｄにおいてバンド部１６は、第１のバンド紐１３に回動部１７により接続される。なお、第２のバンド紐１４の端部はアウトソール部１０の底面１００に近い位置に固定されている。
【００７３】
保護具１ｄにおいては、バンド部１６と第１のバンド紐１３とが回動部１７で接続されると共にこの接続した状態がサイドウォール部１２に固定されている。そのため、第１のバンド紐１３と第２のバンド紐１４とが離間した状態が維持される。
【００７４】
［実施の形態の変形例５］
図１０は、本実施形態に係る保護具の変形例の概要を示す。変形例５に係る保護具１ｅは、パッド部１５を省略し、サイドウォール部及び第２のバンド紐の形状が保護具１ｄと異なる点を除き、保護具１及び保護具１ｄと略同様の構成及び機能を備えるので、相違点を除き詳細な説明は省略する。
【００７５】
図１０に示すように、変形例５に係る保護具１ｅは、アウトソール部１０と、インソール部１１と、サイドウォール部１２ａと、第１のバンド紐１３と、第２のバンド紐１４ａと、バンド部１６とを備える。また、保護具１ｅは、バンド部１６を変位可能に第１のバンド紐１３に接続する回動部１７を備える。保護具１ｄにおいてバンド部１６は、第１のバンド紐１３に回動部１７により接続される。また、保護具１ｅにおいては、変形例４に係る保護具１ｄと異なり、サイドウォール部１２ａの後方のアウトソール部１０からの高さがサイドウォール部１２より高い。そして、保護具１ｅにおいては、保護具１ｄと異なり、第２のバンド紐１４ａはサイドウォール部１２ａの上側縁部に接続されている（図１０の接続部１６０）。なお、保護具１ｅの第２のバンド紐１４ａは、例えば、その中央付近にバックル（図示しない）を有していてよい。
【００７６】
保護具１ｅにおいては、第２のバンド紐１４ａの長さが保護具１や保護具１ｄに比べて短い。これにより、第１のバンド紐１３の装着者の脚に対する位置がずれたとしても、第１のバンド紐１３と第２のバンド紐１４ａとが離間した状態が維持される。
【００７７】
［実施の形態の変形例６］
図１１は、本実施形態に係る保護具の変形例の概要を示す。図１１（ａ）は、変形例６に係る保護具１ｆの側面前方の上方から参照した場合の概要の一例を示し、図１１（ｂ）は、変形例６に係る保護具１ｆの側面後方の上方から参照した場合の概要の一例を示す。変形例６に係る保護具１ｆは、バンド部１６の代わりに前カバー部４０を備え、回動部１７を省略した点を除き、保護具１と略同様の構成及び機能を備えるので、相違点を除き詳細な説明は省略する。
【００７８】
図１０に示すように、変形例６に係る保護具１ｆは、アウトソール部１０と、インソール部１１と、サイドウォール部１２と、第１のバンド紐１３と、第２のバンド紐１４と、前カバー部４０とを備える。前カバー部４０は、一の端部（前側下部の端部）がアウトソール部１０の前方端部に接続され、装着者の膝回りを囲む形状を有し、パッド部１５の第２パッド領域１５２に他の端部（後ろ側上部の端部）が接続される。つまり、前カバー部４０は保護具１ｆの側面視にて略台形状を有し（前方が底辺、後方が上辺に対応する）、前方下部がアウトソール部１０に接続され、後方が第２パッド領域１５２に接続される。前カバー部４０の第２パッド領域１５２に接続される側には固定部４２が設けられる。装着者は固定部４２を外すことで、保護具１ｆを膝に装着できる。
【００７９】
前カバー部４０は、保護具１におけるバンド部１６の機能を有する。バンド部１６よりも幅広い領域が装着者の膝及び大腿部に接触する。これにより、前カバー部４０に加わる力を面として分散することができる。
【００８０】
［実施の形態の変形例７］
図１２は、本実施形態に係る保護具の変形例の概要を示す。変形例７に係る保護具１ｇは、バンド部１６ａの端部の第１のバンド紐１３に対する接続方法が保護具１と異なる点を除き、保護具１と略同様の構成及び機能を備えるので、相違点を除き詳細な説明は省略する。
【００８１】
保護具１ｇにおいては、第１のバンド紐１３の一部分がサイドウォール部１２に留め具１８で固定される。例えば、第１のバンド紐１３の両端部近傍それぞれの所定の部分とサイドウォール部１２とが留め具１８により固定される。一方、バンド部１６ａはバンド部１６と略同一の形状を有するが、その両端部に穴部１７０を有する。この穴部１７０に第１のバンド紐１３が通される。これにより、バンド部１６ａは、少なくとも両端部が第１のバンド紐１３に沿って移動可能であり、かつ、サイドウォール部１２に対し穴部１７０と第１のバンド紐１３との接触部分を中心に回動可能に設けられる。これにより、第１のバンド紐１３及びバンド部１６ａにより、サイドウォール部１２を上に引き上げる力が作用する。
【００８２】
以下、参考として手用保護具の例を示す。
【００８３】
［参考例１］
図１３は、手用保護具の概要の一例を示す。図１３（ａ）は手用保護具２の斜視図の一例を示し、図１３（ｂ）は手用保護具２の底面の一例を示し、図１３（ｃ）は手用保護具２の使用状態の一例を示す。
【００８４】
手用保護具２は、４足歩行運動に用いることが可能な手用保護具である。手用保護具２は、アウトソール部７０と、甲被部７８と、バンド部８０と、インソール部８２とを備える。
【００８５】
アウトソール部７０は、平面視にて長手方向と幅方向とを有し、面状の底面７２を有すると共に底面７２に凹凸を含んで構成される。また、アウトソール部７０は、手に加わる圧力を軽減し、掌を保護する厚さを有して構成される。図１３（ｂ）に示すように底面７２は、凸部７４及び凹部７６を有して構成される。なお、底面７２は、凹凸と共に、若しくは代わりに溝部を有してもよい。また、甲被部７８は、アウトソール部７０の長手方向前方の端部近傍に、長手方向の一方の縁部近傍から他方の縁部近傍に向けて設けられる。甲被部７８は、装着者の親指を除く他の指を通す開口を有して設けられる。アウトソール部７０及び甲被部７８は、保護具１のアウトソール部１０と同様の材料を用いて構成できる。バンド部８０は、甲被部７８の縁部からアウトソール部７０の長手方向後方の一方の縁部近傍に向けて設けられる。バンド部８０は、ポリエステルやゴム等の材料を用いて構成できる。そして、インソール部８２は、アウトソール部７０の底面７２の反対側表面に接して設けられる。インソール部８２は、保護具１のインソール部１１と同様の材料から構成できる。
【００８６】
手用保護具２は、図１３（ｃ）に示すように甲被部７８とバンド部８０との間に親指を通すようにして手に装着される。手用保護具２においては、装着者は開口により指をある程度自由に動かすこともできる。そして、装着者が４足歩行運動した場合、甲被部７８及びバンド部８０により手用保護具２が手にしっかりと固定され、手からずれて脱げることを防止する。また、アウトソール部７０は保護具１のアウトソール部１０と同様に底面７２が面状であるため、床や地面等への接触面積を大きく確保でき、４足歩行運動をしやすくできる。すなわち、手用保護具２によれば、装着者が４足歩行運動をした場合に、手にしっかり固定されているので手からずれず、接触面積が大きいので安定性が高く、底面７２の凹凸により進みやすく、アウトソール部７０により掌を保護できると共に手に加わる力を軽減でき、手首を捻挫しにくいという効果を奏する。なお、インソール部８２は交換可能に設けることができ、装着者の汗を吸収した場合には洗濯や交換が可能であるので手用保護具２を清潔に保つことができる。
【００８７】
［参考例２］
図１４は、手用保護具の概要の一例を示す。図１４（ａ）は手用保護具２ａの斜視図の一例を示し、図１４（ｂ）は手用保護具２の底面の一例を示す。また、図１４（ｃ）は手用保護具２ａの側面図の一例を示す。
【００８８】
手用保護具２ａは、４足歩行運動に用いることが可能な手用保護具であって、手袋９０と、ソール部９１と、テープ部９２とを備える。そして、ソール部９１は、ミッドソール部９３とアウトソール部９４とを有する。また、アウトソール部９４は、底面９５に凸部９６と凹部９７とを含む。
【００８９】
ソール部９１は、手袋９０の掌側に設けられる。そして、テープ部９２は手袋９０の手の挿入口近傍であって手の甲側に設けられ、装着者が手に手用保護具２ａをはめた場合にテープ部９２により手用保護具２ａを手に固定する。また、ソール部９１は、掌側に設けられるミッドソール部９３とミッドソール部９３に接触して設けられ、ミッドソール部９３側とは反対側表面に面状の底面９５を有すると共に底面９５に凸部９６及び凹部９７を含むアウトソール部９４とを有して構成される。なお、底面９５は、凹凸と共に、若しくは代わりに溝部を有してもよい。また、手袋９０は、例えば、ポリウレタン等の合成樹脂から構成でき、ソール部９１は、保護具１のアウトソール部１０と同様の材料を用いて構成できる。
【００９０】
手用保護具２ａは手袋状であるので、手用保護具２に比べ、より手から脱げにくくすることができる。
【００９１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。更に、上記した実施形態の技術的要素は、単独で適用されてもよいし、複数の部分に分割されて適用されるようにすることもできる。
【符号の説明】
【００９２】
１、１ａ、１ｂ、１ｃ、１ｄ、１ｅ、１ｆ、１ｇ  保護具
２、２ａ  手用保護具
５  人
６  膝
７  手
１０  アウトソール部
１１  インソール部
１２、１２ａ  サイドウォール部
１３  第１のバンド紐
１４、１４ａ  第２のバンド紐
１５  パッド部
１６、１６ａ  バンド部
１７  回動部
１８  留め具
２０  太バンド紐
２２、２２ａ  カバー部
３０、３２、３４、３６  領域
４０  前カバー部
４２  固定部
５０  大腿部
５２  下腿部
６０、６０ａ、６０ｂ、６０ｃ、６０ｄ、６０ｅ、６０ｆ、６０ｇ、６０ｈ、６０ｉ、６０ｊ、６０ｋ、６０ｌ、６０ｍ  方向
７０  アウトソール部
７２  底面
７４  凸部
７６  凹部
７８  甲被部
８０  バンド部
８２  インソール部
９０  手袋
９１  ソール部
９２  テープ部
９３  ミッドソール部
９４  アウトソール部
９５  底面
９６  凸部
９７  凹部
１００  底面
１０２  主面
１１０  凸部
１１１  凹部
１３０  第１部分バンド紐
１３２  第２部分バンド紐
１３５  第１のバックル
１４０  第３部分バンド紐
１４２  第４部分バンド紐
１４５  第２のバックル
１５０  第１パッド領域
１５２  第２パッド領域
１６０  接続部
１７０  穴部
２００  開口部
２２０  天井部
３００、３０２  方向
４００、４０２、４０４、４０６、４０８、４１０  部分
【要約】
【課題】膝を床等に接触させて実行する４足歩行運動時に膝に痛み等のダメージを与えず、かつ、膝からずれない（脱げない）保護具を提供する。
【解決手段】保護具１は、長手方向と幅方向とを有し、面状の底面１００と主面１０２とを有するアウトソール部１０と、アウトソール部１０の長手方向の一方の縁部近傍から他方の縁部近傍に向けて設けられる第１のバンド紐１３と、アウトソール部１０の長手方向の一方の縁部近傍から他方の縁部近傍に向けて第１のバンド紐１３とは離間して設けられる第２のバンド紐１４と、アウトソール部１０の主面１０２側において主面１０２に対向して設けられ、第１のバンド紐１３と第２のバンド紐１４との離間状態を維持するパッド部１５と、アウトソール部１０若しくは第１のバンド紐１３に対して変位可能に設けられるバンド部１６とを備える。
【選択図】図１【図１】
0006952923.tif 000002
【図２】
0006952923.tif 000003
【図３】
0006952923.tif 000004
【図４】
0006952923.tif 000005
【図５】
0006952923.tif 000006
【図６】
0006952923.tif 000007
【図７】
0006952923.tif 000008
【図８】
0006952923.tif 000009
【図９】
0006952923.tif 000010
【図１０】
0006952923.tif 000011
【図１１】
0006952923.tif 000012
【図１２】
0006952923.tif 000013
【図１３】
0006952923.tif 000014
【図１４】
0006952923.tif 000015